(57)【要約】【課題】従来の肉骨粉の処理方法は、都市ごみに肉骨粉を重量比１０〜２０％混合して、都市ごみを焼却する都市ごみ用焼却炉で焼却していた。しかし肉骨粉は低位発熱量が約１７ＭＪ／ｋｇとプラスチックごみ並みの高い発熱量を有し、肉骨粉単独で焼却炉に供給すると激しく燃えすぎて燃焼が不安定になる。特に夏場は水分を多く含むごみが増えるため、混合が不十分であるとカロリーの変動が大きくなり燃焼が不安定になり易いという難点があった。また混合時、肉骨粉の粉塵を人が吸い込む可能性があるという難点があった。【解決手段】肉骨粉の処理方法であって、密閉経路内で肉骨粉１Ａに水９を添加して半泥状のスラリー１Ｂにして焼却炉１１へ供給することを特徴とする肉骨粉の処理方法とした。【選択図】　　　　図１
2004116888.tif 000002
【特許請求の範囲】
【請求項１】
密閉経路内で肉骨粉に水を添加してスラリーにして焼却炉へ供給することを特徴とする肉骨粉の処理方法。
【請求項２】
前記焼却炉がガス化炉またはガス化溶融炉であることを特徴とする請求項１に記載の肉骨粉の処理方法。
【発明の詳細な説明】
【０００１】
【発明の属する技術分野】
本発明は肉骨粉の焼却処理方法に関する。
【０００２】
【従来の技術】
牛を屠殺処理すると、食用の牛肉となる肉部位以外に、牛肉とならない肉部位、臓器、骨、油脂等の非食用部分が発生する。以前は前記非食用部分は粉砕、乾燥して肉骨粉にして飼料として利用されてきたが、近年、肉骨粉に起因する牛海綿状脳症の問題が発生したため飼料としての利用ができなくなった（例えば非特許文献１参照。）。このため肉骨粉は焼却処理されるようになった。非食用部分発生後、前記焼却処理までの保管中での腐敗防止のため、以前と同様に粉砕、乾燥して肉骨粉にして保管している。
【０００３】
従来の肉骨粉の処理方法は、都市ごみに肉骨粉を重量比１０〜２０％混合して、都市ごみを焼却する都市ごみ用焼却炉で焼却していた。しかし肉骨粉は低位発熱量が約１７ＭＪ／ｋｇとプラスチックごみ並みの高い発熱量を有し、肉骨粉単独で焼却炉に供給すると激しく燃えすぎて燃焼が不安定になる。特に夏場は水分を多く含むごみが増えるため、混合が不十分であるとカロリーの変動が大きくなり燃焼が不安定になり易いという難点があった。また混合時、肉骨粉の粉塵を人が吸い込む可能性があるという難点があった。
【０００４】
【非特許文献１】
農林水産省「牛海綿脳症（ＢＳＥ）に関するプレスリリース　肉骨粉などの供与禁止について」平成１３年９月２５日
【０００５】
【発明が解決しようとする課題】
そこで都市ごみ用焼却炉ではなく、肉骨粉専用の焼却炉で焼却することが望まれた。しかし肉骨粉は前述のように高カロリーなので、大量に焼却しようとすると焼却炉の許容熱容量を超えて炉壁を損傷する等の問題点があった。また肉骨粉は爆燃性があり、焼却炉への供給時の取り扱いを誤ると火災発生の危険がある。
【０００６】
本発明は上記問題点に鑑みてなされたものであり、大量の肉骨粉の焼却処理が可能であるとともに焼却炉への供給時の火災発生の危険性を解消できる肉骨粉の処理方法を提供することを目的とする。
【０００７】
【課題を解決するための手段】
本発明は、密閉経路内で肉骨粉に水を添加してスラリーにして焼却炉へ供給することを特徴とする肉骨粉の処理方法である。このようにすることにより、スラリーの低位発熱量が低下し、焼却炉内での燃焼が安定するので継続的焼却が可能となり、処理量を増大することができるとともに、爆燃性も大幅に低減され、安全性が向上する。また肉骨粉あるいはスラリーの供給経路の大部分が密閉経路となり、粉塵及び悪臭発生が防止され衛生的になり、且つ露出状態の肉骨粉あるいはスラリーへの引火による火災発生の危険性を低減できる。
【０００８】
本発明は前記焼却炉がガス化炉またはガス化溶融炉であることが好ましい。このようにすることにより、燃焼によって生じる灰分を高温で溶融し溶融スラグとして有効利用できる。
【０００９】
【発明の実施の形態】
本発明の肉骨粉の処理方法に係わる実施の形態を図面を参照して説明する。図１は本発明の肉骨粉の処理方法に係わる処理装置の内、主に肉骨粉の焼却炉への供給装置の概略を示す模式図である。
【００１０】
肉骨粉を収納し、図示省略の肉骨粉置き場に置かれたコンテナバッグ２は、クレーン３で懸吊されてホッパー４の上部に運ばれる。コンテナバッグ２の下部に具備された開閉可能な排出口２Ａを開にして、コンテナバッグ２内の肉骨粉１Ａをホッパー４の上部に具備された投入口４Ａからホッパー４内に投入する。ホッパーの投入口４Ａには集塵手段５が設置され投入時に肉骨粉が飛散しないよう集塵する。そして投入口４Ａより下流部分では、肉骨粉は機器内あるいは配管内の密閉経路を搬送されて後述する焼却炉へ供給される。
【００１１】
ホッパー４の底部には２連のスクリュー６が設けられていて、肉骨粉１Ａはスクリュー６により図１の尾付矢印方向に送られ、接続管７を通って混練機８に落下する。なおスクリュー６は２連に限定されず３連以上あるいは１連のものでも良い。
【００１２】
スクリュー６の下流側及び接続管７には、図示省略の水供給手段により水９が供給される。このように水９の供給箇所を２箇所とすることにより、１箇所（スクリュー６の下流側あるいは接続管７）だけの場合よりも、肉骨粉１Ａの性状変動に対応して実施される後述の水９の添加量調整がよりきめ細かくできるので好ましい。
【００１３】
肉骨粉１Ａに添加する水９の重量は、添加を受ける肉骨粉１Ａの重量と略同じとすることが好ましい。水９の量が少ないと流動性不足となり後述のポンプ１０による搬送に支障をきたす上に、後述の半泥状のスラリー１Ｂの低位発熱量が高すぎて燃焼が不安定になるとともに、爆燃性の低減も不十分であり、好ましくない。水９の量が多いとスラリー１Ｂの低位発熱量が低すぎて燃焼が非効率になり好ましくない。
【００１４】
このため本実施形態ではスクリュー６の図示省略の駆動用の電動機を可変速方式のものとするとともに、水供給手段に図示省略の流量調整弁及び流量計を設置した。流量調整弁及び流量計はスクリュー６の下流側及び接続管７に供給する配管の各々に専用に設置すると、水９の添加量の調整がよりきめ細かく行えるので好ましい。そして実験によりスクリュー６の回転数を変化させた時のスクリュー６の肉骨粉１Ａの搬送重量を確認しておき、スクリュー６の肉骨粉１Ａの搬送重量と添加する水９の重量とが略同じとなるように、スクリュー６の回転数と流量調整弁の開度を設定する。
【００１５】
そして混練機８の回転羽根８Ａの回転により肉骨粉１Ａと水９とが混練されて半泥状のスラリー１Ｂとなり、混練機８の下部に連接されたポンプ１０へ落下する。混練機８の図示省略の駆動用の電動機を可変速方式のものとすると、混練の調整がよりきめ細かく行えるので好ましい。
【００１６】
本実施形態のポンプ１０は、ステータ１０Ａ内を螺旋状のロータ１０Ｂが回転する回転容積型一軸偏芯ネジポンプが好適に使用可能であり、例えば兵神装備社製の商品名「兵神モーノポンプ」が該当する。このポンプ１０は、ステータ１０Ａ内周にロータ１０Ｂが接線状に接触してシールされた螺旋状の空間を形成し、螺旋状のロータ１０Ｂの回転により、前記空間に入ったスラリー１Ｂを略無脈動且つ定量的に搬送できるのでこのような用途に好ましく用いられる。搬送性を良好にするためにスラリーは半泥状であることが好ましい。なおポンプ１０は前記のものに限定されず、例えば汚泥搬送用のプランジャ型ポンプのようなものでも良い。
【００１７】
スラリー１Ｂはポンプ１０により図１の尾付矢印方向に送られ、図示省略の配管を通って焼却炉１１に供給される。ポンプ１０の図示省略の駆動用の電動機を可変速方式のものとすると、焼却炉１１への供給量の調整がよりきめ細かく行えるので好ましい。
【００１８】
本実施形態の焼却炉１１は、燃焼によって生じる灰分を高温で溶融できるガス化溶融炉とする。このようにすることにより、前記灰分を溶融スラグとして有効利用できるのでより好ましい。なおこれに限定されず別の実施形態として、焼却炉１１は、肉骨粉を蒸し焼きにしてガスと残渣とに分解するガス化炉であってもよい。この場合、後続の溶融炉で残渣を高温で溶融し溶融スラグとする。更に別の実施形態として焼却炉１１を塵芥焼却炉とし、灰分は埋め立て処分するか、別途の溶融手段により溶融するようにしても良い。
【００１９】
前述のようにスラリー１Ｂは肉骨粉１Ａと水９とが略同じ重量となるように混練されるので、スラリー１Ｂの低位発熱量は肉骨粉１Ａの低位発熱量の略半分の約８．５ＭＪ／ｋｇと一般ごみ並みの発熱量となり、焼却炉内での燃焼が安定するので継続的焼却が可能となり、処理量を増大することができるとともに、爆燃性も大幅に低減され、安全性が向上する。そして投入口４Ａより下流が密閉経路であるので、粉塵及び悪臭発生が防止され衛生的になり、且つ露出状態の肉骨粉あるいはスラリーへの引火による火災発生の危険性を低減できる。
【００２０】
以上、本発明の実施形態について説明したが本発明は前記実施形態に限定されず、種々の形態とすることができ、本発明の趣旨に合致する任意の方法とすることができる。そして本発明の趣旨を逸脱しない範囲において、種々の改良ならびに設計の変更が可能であることは勿論である。
【００２１】
【発明の効果】
上述のように、本発明によれば肉骨粉を低カロリー化するとともに焼却炉への供給時の火災発生の危険を解消できる肉骨粉の処理方法を提供することができる。
【図面の簡単な説明】
【図１】本発明の肉骨粉の処理方法に係わる処理装置の内、主に肉骨粉の焼却炉への供給装置の概略を示す模式図である。
【符号の説明】
１Ａ　肉骨粉
１Ｂ　スラリー
２　コンテナバッグ
２Ａ　排出口
３　クレーン
４　ホッパー
５　集塵手段
６　スクリュー
７　接続管
８　混練機
８Ａ　回転羽根
９　水
１０　ポンプ
１０Ａ　ステータ
１０Ｂ　ロータ
１１　焼却炉
【図１】
2004116888.tif 000003